(57)【要約】【課題】木質建築物における接合作業を容易に行うことのできる座金を提供する。【解決手段】座金本体１１ａに設けられたボルト貫通孔１１ｂの軸方向に伸縮する板バネ１２ｅ、１２ｂ・・・を座金本体１１ａに配設し、座金本体１１ａからの板バネ１２ｅ、１２ｂ・・・の脱落を防止する枠体１２ｄによって板バネ１２ｅ、１２ｂ・・・と座金本体１１ａとを一体化する。【選択図】図１
2007308946.tif 000002
【特許請求の範囲】
【請求項１】
座金本体に設けられたボルト貫通孔の軸方向に伸縮するバネ部材が前記座金本体に配設され、
前記座金本体からの前記バネ部材の脱落を防止する脱落防止手段によって前記バネ部材と前記座金本体とが一体化されていることを特徴とする座金。
【請求項２】
前記座金本体のボルト貫通孔はその一方の開口端から他方の開口端に向かうにつれて前記ボルト貫通孔の径の大きさを狭めるように形成され、
前記ボルト貫通孔に内接するようにリング部材が装着され、
前記リング部材は円周方向に分離して離間する端部が形成され、
前記リング部材は前記ボルト貫通孔の軸方向に前記バネ部材によって押圧されることを特徴とする請求項１に記載の座金。
【請求項３】
請求項１又は請求項２に記載の座金を用いた木質建築物における接合構造であって、
第１構造体から突設したボルトを木質材からなる第２構造体に設けたボルト挿通孔と前記座金本体のボルト貫通孔と前記バネ部材のボルト貫通孔とに挿通し、前記第２構造体側の前記ボルトが突出した部分に前記座金を添設した状態でナットを螺着することを特徴とする木質建築物における接合構造。
【請求項４】
前記ボルトは前記ナットが螺着される前記ボルトのネジ山の軸方向の幅が他のネジ山よりも幅広く形成されていると共に前記ボルトのネジ山の頂部に溝が形成されていることを特徴とする請求項３に記載の木質建築物における接合構造。
【請求項５】
請求項１又は請求項２に記載の座金を用いた木質建築物であって、
第１構造体から突設したボルトを木質建築物の躯体である木質材からなる第２構造体に設けたボルト挿通孔と前記座金本体のボルト貫通孔と前記バネ部材のボルト貫通孔とに挿通し、前記第２構造体側の前記ボルトが突出した部分に前記座金を添設した状態でナットを螺着したことを特徴とする木質建築物。
【発明の詳細な説明】
【技術分野】
【０００１】
この発明は、例えば、基礎上に設置される木質材からなる建物ユニットや木質材からなる上階と下階の建物ユニットなどの木質建築物における躯体等の接合に用いられる座金、座金を用いた木質建築物における接合構造及び木質建築物に関するものである。
【背景技術】
【０００２】
従来、木質建築物における躯体等の接合に用いられる座金３４として、図８に示すように、基礎２０に建物ユニット４０を接合する際に用いるものがある。
【０００３】
この座金３４を用いた接合構造１００は、基礎２０から突設したアンカーボルト３２を、建物ユニット４０の壁パネル３１が備える土台３３に設けたボルト挿通孔３３ａと、座金３４のボルト貫通孔３４ａに通し、この土台３３側のボルト３２が突出している部分（ボルト挿通孔３３ａの周囲）に座金３４を添設させた状態で、ボルト３２に皿ばねナット３５を螺着したものである。
【特許文献１】特許第３７３９２４５号公報
【発明の開示】
【発明が解決しようとする課題】
【０００４】
しかしながら、上記した従来の木質建築物における接合構造１００では、接合の緩みを防止するための皿ばねナット３５の代わりにバネ部材等を別部品として添設しようとすると、部品点数が増えて接合作業が煩雑になるという問題がある。
【０００５】
また、従来の木質建築物における接合構造１００では、ボルト３２にナット３５を螺着させただけなので、地震などの振動による外力が接合部分に加わると、ナット３５の螺着が緩み、接合が緩んでしまう恐れがある。
【０００６】
さらに、土台３３が木痩せすると、皿ばねナット３５の皿ばねによる反発力が弱まるので、経年的に接合が緩んでしまう恐れがある。
【０００７】
そこで本発明は、木質建築物における接合作業を容易に行うことのできる座金を提供することを目的とする。
【課題を解決するための手段】
【０００８】
前記目的を達成するために本発明は、座金本体に設けられたボルト貫通孔の軸方向に伸縮するバネ部材が前記座金本体に配設され、前記座金本体からの前記バネ部材の脱落を防止する脱落防止手段によって前記バネ部材と前記座金本体とが一体化された座金を特徴とする。
【０００９】
ここで、前記座金本体のボルト貫通孔はその一方の開口端から他方の開口端に向かうにつれて前記ボルト貫通孔の径の大きさを狭めるように形成され、前記ボルト貫通孔に内接するようにリング部材が装着され、前記リング部材は円周方向に分離して離間する端部が形成され、前記リング部材は前記ボルト貫通孔の軸方向に前記バネ部材によって押圧されるような座金であってもよい。
【００１０】
また、本発明は前記座金を用いた木質建築物における接合構造であって、第１構造体から突設したボルトを木質材からなる第２構造体に設けたボルト挿通孔と前記座金本体のボルト貫通孔と前記バネ部材のボルト貫通孔とに挿通し、前記第２構造体側の前記ボルトが突出した部分に前記座金を添設した状態でナットを螺着することを特徴とする。
【００１１】
ここで、前記木質建築物における接合構造に用いられる前記ボルトは前記ナットが螺着される前記ボルトのネジ山の軸方向の幅が他のネジ山よりも幅広く形成されていると共に前記ボルトのネジ山の頂部に溝が形成されていてもよい。
【００１２】
また、本発明は前記座金を用いた木質建築物であって、第１構造体から突設したボルトを木質建築物の躯体である木質材からなる第２構造体に設けたボルト挿通孔と前記座金本体のボルト貫通孔と前記バネ部材のボルト貫通孔とに挿通し、前記第２構造体側の前記ボルトが突出した部分に前記座金を添設した状態でナットを螺着したことを特徴とする。
【発明の効果】
【００１３】
本発明によれば、座金本体に設けられたボルト貫通孔の軸方向に伸縮するバネ部材を座金本体に配設して、座金本体からのバネ部材の脱落を防止する脱落防止手段によってバネ部材と座金本体とを一体化することにより、接合に用いる部品点数を少なくすることができる。
【００１４】
これにより、構造体の接合作業を容易かつ短時間で行うことができる。
【００１５】
また、座金本体のボルト貫通孔をその一方の開口端から他方の開口端に向かうにつれてボルト貫通孔の径の大きさを狭めるように形成し、円周方向に分離して離間する端部が形成されたリング部材を座金本体のボルト貫通孔に内接するように装着させる。そして、ボルト貫通孔に内接するリング部材をバネ部材によってボルト貫通孔の軸方向に押圧することにより、リング部材はボルト貫通孔の傾斜する内周面に摺接しながら円周方向に縮むと共に、ボルト貫通孔に挿通されるボルトを締め付けて地震などの振動や外力によるボルトの振動や軸回りの回転を防止するので、ボルトに螺着されるナットの緩みを防止することができる。
【００１６】
これにより、木質建築物における構造体の接合を強固にすることができる。
【００１７】
さらに、本発明によれば、第１構造体から突設したボルトを木質材からなる第２構造体に設けたボルト挿通孔と座金本体のボルト貫通孔とバネ部材のボルト貫通孔とに挿通し、第２構造体側のボルトが突出した部分に座金を添設した状態でナットを螺着することにより、木質材からなる第２構造体が木痩せしても、ナットと座金本体との間に介在するバネ部材がその木痩せに追従するように復元してナットと座金本体との間に延在するので、木痩せによる接合の緩みを防止することができる。
【００１８】
また、本発明によれば、ナットが螺着されるボルトのネジ山の軸方向の幅を他のネジ山よりも幅広く形成すると共にボルトのネジ山の頂部に溝を形成することにより、ボルトのネジ山とナットのネジ溝との接触摩擦が増して、ボルトとナットの螺着の緩みを防止することができる。
【００１９】
しかも、ネジ山の頂部に形成された溝によってネジ山の頂部が弾性変形するので、溝が形成されたネジ山が他のネジ山よりも幅広く形成されていてもボルトにナットを容易に螺合することができると共に、地震などの外力がナット若しくはボルトに作用しても、ネジ山の頂部の弾性変形により外力が吸収され、ボルトのネジ山とナットのネジ溝との接触摩擦が保持されるので、螺着の緩みを防止することができる。
【発明を実施するための最良の形態】
【００２０】
以下、本発明に係る木質建築物における接合構造の実施の形態を図面に基づいて説明する。
【００２１】
図２は基礎２０に木質建築物としての建物ユニット３０を接合した際の接合構造１０を示し、第１構造体としての基礎２０から突設したボルトとしてのアンカーボルト１３を、建物ユニット３０の壁パネル３１が備える第２構造体としての木質材の土台３３（躯体）に設けたボルト挿通孔３３ａと、座金１１が備える座金本体１１ａのボルト貫通孔１１ｂとに挿通している。
【００２２】
そして、この土台３３側のボルト１３が突出している部分（ボルト挿通孔３３ａの周囲）に座金１１を添設させた状態で、ナット１４を螺着したものである。
【００２３】
尚、土台３３のボルト挿通孔３３ａの大きさは、ボルト１３を挿入容易とするために大径のルーズホールとする一方、座金本体１１ａの突起１１ｄを土台３３に食い込ませ、ボルト１３による緊結度を高めることにて建物ユニット３０の水平方向への変位を防止している。
【００２４】
ここで、木質建築物とは、建物の躯体のうち少なくとも１つの構造体、上記建物ユニット３０で言えば、躯体のうち少なくとも土台３３が木質材からなる建物のことをいうものである。
【００２５】
また、建物ユニット３０は、骨組みとして柱、梁、根太などから形成されていると共に、この骨組みに天井パネルや床パネル、内外壁パネルなどが取付けられてなる。
【００２６】
尚、図２の建物ユニット３０では、木質の床パネル３６に耐力壁となる木質の壁パネル３１が立設される構造となっている。
【００２７】
そして、この建物ユニット３０を上下左右方向に複数配置して建物ユニット同士を結合することによりユニット建物が形成されるようになっている。
【００２８】
図１は本発明の木質建築物用金物の一態様として座金１１を示すものであり、座金１１は鋼板製の座金本体１１ａと、ボルト１３の軸方向に沿って重なるように介在するバネ部材としての板バネ１２ｅ、１２ｂ、・・・と、座金本体１１ａのボルト貫通孔１１ｂの内周面１１１ｂに内接するように装着されたリング部材としての締付リング１２ｃと、板バネ１２ｅ、１２ｂ、・・・を囲うように保持して座金本体１１ａからの脱落を防止する脱落防止手段としての枠体１２ｄとからなる（図１（ａ））。
【００２９】
この枠体１２ｄは、座金本体１１ａの上面からボルト貫通孔１１ｂの軸方向に沿って上方に立ち上がる断面視略矩形状の側枠部１２４と、その側枠部１２４の先端部１２４ｂに備えられた断面視台形状の引掛部１２４ａとが備えられている。
【００３０】
従って、枠体１２ｄはその引掛部１２４ａが備えられた部分の断面形状が鉤状を呈しており、板バネ１２ｅ、１２ｂ、・・・は、その周縁が枠体１２ｄに囲まれ、かつ引掛部１２４ａに引掛けられる格好で保持されている。
【００３１】
しかも、この側枠部１２４の脚部１２５ａに一体に備えられた突起部１２５が座金本体１１ａの貫通孔１１ｅに嵌め込まれており、これによって枠体１２ｄが座金本体１１ａに固定され、座金本体１１ａと板バネ１２ｅ、１２ｂ、・・・が一体化している。
【００３２】
また、板バネ１２ｅは座金本体１１ａのボルト貫通孔１１ｂの上部開口端とその周辺の座金本体１１ａの上面とに跨って配設されている。
【００３３】
尚、図１には図示されていないが各板バネ１２ｅ、１２ｂにはボルト貫通孔１２６、１２７が設けられており（図５を参照）、土台３３に座金１１を添設した際に、ボルト１３が板バネ１２ｅ、１２ｂのボルト貫通孔１２６、１２７にも挿通されるようになっている。
【００３４】
また、締付リング１２ｃは、その輪部分の肉厚が下端側に向けて薄肉化して断面視直角三角形状を呈する先細り状のリングであり、締付リング１２ｃの外周面１２０ｃはボルト貫通孔１１ｂの内周面１１１ｂに当接している。
【００３５】
尚、図１（ｂ）は座金１１を添設した後、ボルト１３にナット１４を螺着した接合状態を示すものであり、ナット１４を螺着することにより各板バネ１２ｂ、・・・はボルト１３の軸方向に縮む（弾性変形）と共に、座金本体１１ａ側に押し付けられ、座金本体１１ａ上の板バネ１２ｅを圧接する。
【００３６】
また、この板バネ１２ｅが圧接されることによって締付リング１２ｃは下方に押圧されて座金本体１１ａのボルト貫通孔１１ｂ内に押し込まれる。
【００３７】
図３は本発明の木質建築物用金物の一態様として座金本体１１ａを示すものであり、座金本体１１ａは平面視矩形状で鋼板製の板体からなり、その座金本体１１ａの中央にボルト貫通孔１１ｂを備え、そのボルト貫通孔１１ｂの周囲に３箇所の貫通孔１１ｅを備えている（図３（ａ）、（ｂ））。
【００３８】
また、ボルト貫通孔１１ｂは、座金本体１１ａの上面側の一方の開口端１１０ａから他方の開口端１１０ｂに向かうにつれてその径の大きさが狭められている。
【００３９】
これにより、ボルト貫通孔１１ｂの内周面１１１ｂは、一方の開口端１１０ａから他方の開口端１１０ｂ側に向かうにつれてボルト貫通孔１１ｂの中心方向に張り出すように傾斜している（図３（ｂ））。
【００４０】
さらに、座金本体１１ａにおけるボルト貫通孔１１ｂの周囲には４箇所の孔１１ｃを備え（図３（ａ））、座金本体１１ａの一面で孔１１ｃの周辺に沿う筒状突起１１ｄを備えている（図３（ｂ））。
【００４１】
この座金本体１１ａの筒状突起１１ｄは、しごき成形により加工され、座金本体１１を穿孔時に、しごき孔１１ｃの縁に大きなバリを発生させることにより先端尖り状に形成されている（図３（ｂ））。
【００４２】
このように形成された座金本体１１ａの突起１１ｄは、しごき孔１１ｃの部分を空洞部とし、肉厚を先端ほど薄肉とし、且つ先端の高さを周方向で不均等としている（図３（ｃ））。従って、座金本体１１ａの突起１１ｄは、小さな押付力で木質材に食い込み容易となっている。
【００４３】
図４に示すように、ボルト１３を内包する締付リング１２ｃは、円周方向に伸縮可能となるように円周方向に分離して離間する端部が形成され（図４（ａ））、その両端部は互いに係合する三角形状の係合切欠１２３と係合凸部１２２とを備えている（図４（ｂ））。
【００４４】
また、座金１１を添設した後、ボルト１３にナット１４を螺着した接合状態では（図１（ｂ）を参照）、ボルト貫通孔１１ｂの内周面１１１ｂに内接する締付リング１２ｃが板バネ１２ｅにより下方（図２の基礎２０側）に押圧される。
【００４５】
そして、その押圧によって締付リング１２ｃの外周面１２０ｃはボルト貫通孔１１ｂの傾斜する内周面１１１ｂに押し付けられながら摺接して、ボルト１３を内包して圧着するまで縮まるようになっている（図１（ｂ））。その際、締付リング１２ｃの離間する両端部は互いに密着係合、若しくは近接しており（図４（ｃ））、その結果、締付リング１２ｃの円周長さが縮み、ボルト１３を締め付けることとなる。
【００４６】
図５に示すように、板バネ１２ｅ、１２ｂは平面視筒状に形成されていると共に（図５（ａ）、（ｃ））、ボルト１３が挿通される各ボルト貫通孔１２６、１２７の中心方向に向けて板バネ本体１２８、１２９が傾斜している（図５（ｂ）、（ｄ））。
【００４７】
尚、ボルト１３にナット１４を螺着した接合状態では（図１（ｂ））、板バネ１２ｅ、１２ｂの各ボルト貫通孔１２６、１２７の周縁部が下方に押圧されることにより板バネ１２ｅ、１２ｂの形状が略扁平状になるまで弾性変形して、全体が軸方向に縮むこととなる。
【００４８】
図６に示すように、枠体１２ｄの側枠部１２４は平面視筒状に形成され、その円環状脚部１２５ａの円周方向の３箇所には筒状の突起部１２５を一体に備えている（図６（ａ））。
【００４９】
この突起部１２５は、側枠部１２４の円環状脚部１２５ａから下方に突出するように備えられている（図６（ｂ））。
【００５０】
また、突起部１２５の外径は、座金本体１１ａに形成された貫通孔１１ｅの径と略同一か若しくは貫通孔１１ｅの径よりも大きく形成されており（図１を参照）、この突起部１２５が座金本体１１ａの貫通孔１１ｅに押し込まれて貫通孔１１ｅに圧着されることにより、座金本体１１ａから枠体１２ｄが外れないようになっている。
【００５１】
また、側枠部１２４の円環状先端部１２４ｂの円周方向の３箇所には引掛部１２４ａが備えられている（図６（ａ））。
【００５２】
この引掛部１２４ａは側枠部１２４の中心方向に突出してその開口内に張り出すように形成されており（図６（ａ））、この引掛部１２４ａによって板バネ１２ｅ、１２ｂ、・・・が枠体１２ｄ内から飛び出さないように保持されている（図１（ａ））。
【００５３】
図７は本発明の実施の形態に係るアンカーボルト１３の形状を示すものであり、アンカーボルト１３は丸棒状に形成され、その外周面に沿って断面視台形状のネジ山１３１が複数形成され、ナット１４が螺着されるボルト１３の外周面には断面視台形状のネジ山１３２が複数形成されている（図７（ａ）、（ｂ））。
【００５４】
このナット１４が螺着されるネジ山１３２は、その軸方向の幅が他のネジ山１３１よりも幅広く形成されている。
【００５５】
また、ナット１４が螺着されるボルト１３のネジ山１３２の頂部１３２ａには網目状の溝１３２ｂが転造形成されている（図７（ｂ））。
【００５６】
この溝１３２ｂが形成されることにより、ネジ山１３２の頂部１３２ａは、溝１３２ｂの隙間を塞ぐような変形、例えば、ネジ山１３２の断面視台形状の頂部１３２ａがさらに先細るように変形する。
【００５７】
すなわち、ナット１４のネジ溝がボルト１３のネジ山１３２に螺着される際など、ボルト１３のネジ山１３２に加わる様々な外力に対して頂部１３２ａが弾性変形するようになっている。
【００５８】
このように構成された本発明は、座金本体１１ａに設けられたボルト貫通孔１１ｂの軸方向に伸縮する板バネ１２ｅ、１２ｂ・・・をボルト貫通孔１１ｂの上部開口端とその周辺の座金本体１１ａの上面に跨って配設し、座金本体１１ａからボルト貫通孔１１ｂの軸方向に沿って立ち上がると共に板バネ１２ｅ、１２ｂ・・・の周縁を囲う枠体１２ｄを座金本体１１ａに固定する。そして、枠体１２ｄの先端部１２４ｂに引掛部１２４ａが備えられることにより断面形状が鉤状を呈する枠体１２ｄによって板バネ１２ｅ、１２ｂ・・・を枠体１２ｄ内に保持することにより、座金本体１１ａと板バネ１２ｅ、１２ｂ・・・とを一体化するので、接合に用いる部品点数を少なくすることができる。
【００５９】
これにより、土台３３と基礎２０との接合作業を容易かつ短時間で行うことができる。
【００６０】
また、座金本体１１ａの上面側におけるボルト貫通孔１１ｂの一方の開口端１１０ａから座金本体１１ａの下面側の他方の開口端１１０ｂに向かうにつれてボルト貫通孔１１ｂの径の大きさを狭めると共に、ボルト１３を内包して円周方向に伸縮する締付リング１２ｃをボルト貫通孔１１ｂの内周面１１１ｂに内接するように装着させる。そして、板バネ１２ｅ等によって締付リング１２ｃを下方に押圧することにより、締付リング１２ｃはボルト貫通孔１１ｂの傾斜する内周面１１１ｂに摺接しながら縮むと共に、ボルト貫通孔１１ｂに挿通されるボルト１３を締め付けるので、地震などの振動や外力によるボルト１３の振動や軸回りの回転を防止することができる。
【００６１】
しかも、地震などの振動や外力によってボルト１３の軸方向に外力が加わると、板バネ１２ｂ、・・・、１２ｅが縮み、その反発力によって締付リング１２ｃがさらに下方に押圧され、ボルト１３を締め付けるので、振動や外力を締付リング１２ｃの締付力に変えることができる。
【００６２】
これにより、ボルト１３とナット１４の螺着の緩みが防止され、土台３３と基礎２０との接合を強固にすることができる。
【００６３】
また、本発明は、基礎２０から突設したアンカーボルト１３を、建物ユニット３０の壁パネル３１が備える木質材の土台３３に設けたボルト挿通孔３３ａと座金本体１１ａのボルト貫通孔１１ｂと各板バネ１２ｅ、１２ｂのボルト貫通孔１２６、１２７とに挿通し、この土台３３側のボルト１３が突出している部分（ボルト挿通孔３３ａの周囲）に座金１１を添設させた状態で、ボルト１３にナット１４を螺着することにより、木質材からなる土台３３が木痩せしても、ナット１４と座金本体１１ａとの間に介在する複数の板バネ１２ｅ、１２ｂ、・・・がその木痩せに追従するように復元してナットと座金の間に延在するので、木痩せによる接合の緩みを防止することができる。
【００６４】
さらに、本発明は、ナット１４が螺着されるボルト１３のネジ山１３２の軸方向の幅を他のネジ山１３１よりも幅広く形成することにより、ボルト１３のネジ山１３２とナット１４のネジ溝との接触摩擦が増して、ボルト１３とナット１４の螺着の緩みを防止することができる。
【００６５】
しかも、ネジ山１３２の頂部１３２ａに形成された溝１３２ｂによってネジ山１３２の頂部１３２ａが弾性変形するので、溝１３２ａが形成されたネジ山１３２が他のネジ山１３１よりも幅広く形成されていてもボルト１３にナット１４を容易に螺合することができる。
【００６６】
さらに、地震などの外力がナット１４若しくはボルト１３に作用しても、ネジ山１３２の頂部１３２ａの弾性変形により外力が吸収され、ボルト１３のネジ山１３２とナット１４のネジ溝との接触摩擦が保持されるので、螺着の緩みを防止することができる。
【００６７】
また、本発明によれば、締付リング１２ｃによりボルト１３を締め付けてボルト１３の振動や軸回りの回転を防止する第１の緩み防止作用と、頂部１３２ａに溝が形成された幅広いネジ山１３２部分にナット１４を螺着させる第２の緩み防止作用との２重の緩み防止作用を発揮するので、地震などの大きな振動やその他の大きな外力による接合の緩みを防止することができることのみならず、強固な接合を長期に渡り保持することができる。
【００６８】
以上、図面を参照して、本発明の実施の形態を詳述してきたが、具体的な構成は、この実施の形態に限らず、本発明の要旨を逸脱しない程度の設計的変更は、本発明に含まれる。
【００６９】
例えば、上記実施の形態に係る木質建築物における接合構造１０は、基礎２０と建物ユニット３０とを接合するものであるが、これに限定されるものではなく、上階建物ユニットと下階建物ユニット、若しくは上階建物ユニットと屋根との接合に本発明に係る木質建築物における接合構造を適用してもよい。
【００７０】
また、上記実施の形態に係る座金１１の複数の板バネ１２ｂ、１２ｅの代わりに、バネ部材としてつるまきバネなどのような一本のバネを用いてもよい。
【００７１】
さらに、本発明の木質建築物用金物は、ユニット建物に限らず、広く一般の木質建築物に適用することができる。
【００７２】
また、図２の建物ユニット３０は、床パネル３６を張り付け後に壁パネル３１が立設される床勝ち仕様であり、床パネル３６の下に土台３３が設けられるようになっているが、これに限定されるものではなく、壁パネル３１を立設してから床パネル３６を張り付ける壁勝ち仕様の建物ユニットにおいて、壁パネル３１の下端に土台３３が設けられた構造に上記実施の形態に係る接合構造を適用してもよい。
【００７３】
さらに、上記実施の形態では、側枠部１２４の突起部１２５を、座金本体１１ａに形成された貫通孔１１ｅに押し込んで枠体１２ｄを座金本体１１ａに固定するようになっているが、これに限定されるものではなく、突起部１２５が貫通孔１１ｅから外れる恐れがある場合には、例えば、突起部１２５を貫通孔１１ｅ内に接着剤等で固定したり、枠体に備えられたネジ溝を有する突起部を貫通孔１１ｅに嵌め込んだ状態で座金本体１１ａの下面側から突起部をネジ止め固定したりしてもよい。
【００７４】
また、上記実施の形態では、断面形状が鉤状の枠体１２ｄを用いて板バネ１２ｅ、１２ｂ・・・と座金本体１１ａとを一体化しているが、一体化する枠体の形状は鉤状に限られないし、必ずしも枠体１２ｄを用いて一体化する必要はなく、作業時に座金本体１１ａから脱落しない程度に一体化できる部材、例えば粘着テープや接着剤で座金本体１１ａにバネ部材を一体化しておくようにしてもよい。
【図面の簡単な説明】
【００７５】
【図１】（ａ）は本発明の実施の形態の木質建築物用金物に係る座金の断面図であり、（ｂ）は接合時における断面図である。
【図２】本発明の実施の形態に係る木質建築物における木質建築物用金物を用いた接合構造の構成を示す説明図である。
【図３】本発明の実施の形態の木質建築物用金物に係る座金本体を示し、（ａ）は平面図、（ｂ）は図３（ａ）をＡ−Ａ方向に見た断面図、（ｃ）は座金本体に設けられた突起の斜視図である。
【図４】本発明の実施の形態の木質建築物用金物に係る座金の締付リングを示し、（ａ）は平面図、（ｂ）は側面図、（ｃ）は接合時の側面図である。
【図５】本発明の実施の形態の木質建築物用金物に係る座金の板バネを示し、（ａ）、（ｃ）は平面図、（ｂ）、（ｄ）は断面図である。
【図６】本発明の実施の形態の木質建築物用金物に係る座金の枠体を示し、（ａ）は平面図、（ｂ）は側面図である。
【図７】本発明の実施の形態の木質建築物用金物に係るボルトを示し、（ａ）は斜視図、（ｂ）はナットを螺着した際の断面図である。
【図８】従来技術に係る木質建築物における接合構造の構成を示す説明図である。
【符号の説明】
【００７６】
１０            接合構造
１１            座金
１１ｂ          ボルト貫通孔
１２ｂ、１２ｅ  板バネ（バネ部材）
１２ｃ          締付リング（リング部材）
１２ｄ          枠体（脱落防止手段）
１３            アンカーボルト（ボルト）
１４            ナット
２０            基礎（第１構造体）
３０            建物ユニット（木質建築物）
３３            土台（第２構造体）
３３ａ          ボルト挿通孔
１２４ａ        引掛部
１２４ｂ        先端部
１２６、１２７  ボルト貫通孔
１３１、１３２  ネジ山
１３２ａ        頂部
１３２ｂ        溝
【図１】
2007308946.tif 000003
【図２】
2007308946.tif 000004
【図３】
2007308946.tif 000005
【図４】
2007308946.tif 000006
【図５】
2007308946.tif 000007
【図６】
2007308946.tif 000008
【図７】
2007308946.tif 000009
【図８】
2007308946.tif 000010